(57)【要約】【課題】印刷絵柄の画像表示装置及び方法並びに印刷色調制御装置及び方法に関し、印刷機のライン上にセンサを取り付けて検出される印刷後の色調をフィードバックして印刷機の色調を見本等に合わせる際に、ドライダウンを考慮しながら適正に行なえるようにする。【解決手段】印刷される印刷絵柄の発色状態の情報をインキ乾燥レベルと対応して入力される発色情報入力部２１と、インキ乾燥レベルに応じた発色特性を記憶した発色特性記憶部２２と、発色情報入力部２１に入力された印刷絵柄のインキ乾燥レベル及び発色状態の情報と、発色特性記憶部２２に記憶された発色特性とから、指定されたインキ乾燥レベルにおける印刷絵柄の発色状態に応じた表示画像情報を生成する表示画像情報生成部２３と、生成された表示画像情報を表示可能なモニタ２ａと、から構成する。【選択図】図１
2009184200.tif 000002
【特許請求の範囲】
【請求項１】
印刷機で印刷される印刷絵柄の発色状態の情報をインキ乾燥レベルと対応して入力される発色情報入力部と、
前記インキ乾燥状態に応じた発色特性を記憶した発色特性記憶部と、
前記発色情報入力部に入力された前記印刷絵柄のインキ乾燥レベル及び発色状態の情報と、前記発色特性記憶部に記憶された前記発色特性とから、指定されたインキ乾燥レベルにおける前記印刷絵柄の発色状態に応じた表示画像情報を生成する表示画像情報生成部と、
前記表示画像情報生成部により生成された表示画像情報を表示可能であるモニタと、をそなえている
ことを特徴とする、印刷絵柄の画像表示装置。
【請求項２】
前記発色特性記憶部には、前記のインキ乾燥レベルに応じた発色特性として、少なくとも、前記インキ乾燥前の特定乾燥レベルの発色状態と、その後、インキ乾燥後の発色状態との対応関係が記憶されている
ことを特徴とする、請求項１記載の印刷絵柄の画像表示装置。
【請求項３】
前記モニタには、前記印刷機を操作する操作端末用モニタが兼用されている
ことを特徴とする、請求項１又は２記載の印刷絵柄の画像表示装置。
【請求項４】
前記印刷機で前記印刷絵柄を印刷されたインキ乾燥前の印刷物の発色状態を検出する発色状態検出部を、さらにそなえ、
前記発色情報入力部には、前記発色状態検出部で検出された前記印刷物の発色状態の検出情報である印刷物検出情報が入力される
ことを特徴とする、請求項１〜３のいずれか１項に記載の印刷絵柄の画像表示装置。
【請求項５】
前記印刷絵柄の製版データから該製版データに対応した刷版により前記印刷機で印刷した場合の、所定のインキ乾燥レベルに応じた印刷物の発色状態を、予め設定された製版データと発色状態との対応関係から算出する製版データ対応発色状態算出部を、さらにそなえ、
前記発色情報入力部には、前記製版データ対応発色状態算出部で算出された前記製版データに基づく発色状態の算出情報である製版データ対応算出情報が入力される
ことを特徴とする、請求項４記載の印刷絵柄の画像表示装置。
【請求項６】
前記モニタは、前記表示画像情報生成部により前記印刷物検出情報と予め設定された基準のインキ乾燥レベルとから生成された印刷物画像情報と、前記表示画像情報生成部により前記製版データ対応算出情報と前記基準のインキ乾燥レベルとから生成された基準画像情報とを、対比して表示しうる
ことを特徴とする、請求項５記載の印刷絵柄の画像表示装置。
【請求項７】
前記発色情報入力部には、前記発色状態検出部により検出された前記印刷絵柄の印刷見本の発色状態の検出情報である印刷見本検出情報が入力される
ことを特徴とする、請求項4又は５記載の印刷絵柄の画像表示装置。
【請求項８】
前記モニタは、前記表示画像情報生成部により前記印刷物検出情報と予め設定された基準のインキ乾燥レベルとから生成された印刷物画像情報と、前記表示画像情報生成部により前記印刷見本検出情報と前記基準のインキ乾燥レベルとから生成された基準画像情報とを、対比して表示しうる
ことを特徴とする、請求項７記載の印刷絵柄の画像表示装置。
【請求項９】
前記基準のインキ乾燥レベルとは、前記発色状態検出部により前記印刷物の発色状態を検出する際の乾燥レベルである
ことを特徴とする、請求項４〜８のいずれか１項に記載の印刷絵柄の画像表示装置。
【請求項１０】
前記基準のインキ乾燥レベルとは、完全に乾燥したレベルである
ことを特徴とする、請求項４〜８のいずれか１項に記載の印刷絵柄の画像表示装置。
【請求項１１】
印刷機で印刷される印刷絵柄について、所定のインキ乾燥レベルにおける発色目標を設定する発色目標設定部と、
前記インキ乾燥レベルに応じた発色特性を記憶した発色特性記憶部と、
前記印刷機で前記印刷絵柄を印刷されたインキ乾燥前の印刷物の発色状態を検出する発色状態検出部と、
前記発色特性記憶部に記憶された前記発色特性に基づいて、前記発色目標設定部により設定された前記発色目標と、前記発色状態検出部により検出された前記発色状態とを、いずれも予め設定された基準のインキ乾燥レベルでの発色に補正した上で、前記発色状態が前記発色目標に近づくようにインキ供給を自動で制御する制御部とをそなえている
ことを特徴とする、印刷色調制御装置。
【請求項１２】
前記所定のインキ乾燥レベルとは、完全に乾燥したレベル、又は、前記発色状態検出部により前記印刷物の発色状態を検出する際の乾燥レベルである
ことを特徴とする、請求項１１記載の印刷色調制御装置。
【請求項１３】
前記基準のインキ乾燥レベルとは、前記発色状態検出部により前記印刷物の発色状態を検出する際の乾燥レベル、又は、完全に乾燥したレベルである
ことを特徴とする、請求項１１又は１２記載の印刷色調制御装置。
【請求項１４】
請求項４〜１０のいずれか１項に記載の印刷絵柄の画像表示装置を含んでいる
ことを特徴とする、請求項１１〜１３のいずれか１項に記載の印刷色調制御装置。
【請求項１５】
印刷機で印刷される印刷絵柄の発色状態の情報をインキ乾燥レベルと対応して入力する入力ステップと、
前記入力された前記印刷絵柄のインキ乾燥レベル及び発色状態の情報と、予め記憶された前記インキ乾燥レベルに応じた発色特性と、指定されたインキ乾燥レベルにおける前記印刷絵柄の発色状態に応じた表示画像情報を生成する画像生成ステップと、
前記表示画像情報生成部により生成された表示画像情報をモニタに表示する表示ステップと、をそなえている
ことを特徴とする、印刷絵柄の画像表示方法。
【請求項１６】
前記のインキ乾燥レベルに応じた発色特性とは、少なくとも、前記インキ乾燥前の特定乾燥レベルの印刷絵柄の発色状態と、その後、インキ乾燥後の印刷絵柄の発色状態との対応関係を含んでいる
ことを特徴とする、請求項１５記載の印刷絵柄の画像表示方法。
【請求項１７】
前記モニタとして、前記印刷機を操作する操作端末用モニタを兼用する
ことを特徴とする、請求項１５又は１６記載の印刷絵柄の画像表示方法。
【請求項１８】
前記入力ステップでは、前記印刷機で前記印刷絵柄を印刷されたインキ乾燥前の印刷物の発色状態の検出情報である印刷物検出情報が入力される
ことを特徴とする、請求項１５〜１７のいずれか１項に記載の印刷絵柄の画像表示方法。
【請求項１９】
前記入力ステップでは、前記印刷絵柄の製版データから該製版データに対応した刷版により前記印刷機で印刷した場合の、所定のインキ乾燥レベルに応じた印刷物の発色状態を、予め設定された製版データと発色状態との対応関係から算出した情報である製版データ対応算出情報が入力される
ことを特徴とする、請求項１８記載の印刷絵柄の画像表示方法。
【請求項２０】
前記表示ステップでは、前記印刷物検出情報と予め設定された基準のインキ乾燥レベルとから生成された印刷物画像情報と、前記製版データ対応算出情報と前記基準のインキ乾燥レベルとから生成された基準画像情報とを、対比してモニタに表示する
ことを特徴とする、請求項１９記載の印刷絵柄の画像表示方法。
【請求項２１】
前記入力ステップでは、前記印刷絵柄の印刷見本の発色状態の検出情報である印刷見本検出情報が入力される
ことを特徴とする、請求項１８又は１９記載の印刷絵柄の画像表示方法。
【請求項２２】
前記表示ステップでは、前記印刷物検出情報と予め設定された基準のインキ乾燥レベルとから生成された印刷物画像情報と、前記印刷見本検出情報と前記基準のインキ乾燥レベルとから生成された基準画像情報とを、対比して表示する
ことを特徴とする、請求項２１記載の印刷絵柄の画像表示方法。
【請求項２３】
前記基準のインキ乾燥レベルとは、前記発色状態検出部により前記印刷物の発色状態を検出する際の乾燥レベルである
ことを特徴とする、請求項１８〜２２のいずれか１項に記載の印刷絵柄の画像表示方法。
【請求項２４】
前記基準のインキ乾燥レベルとは、完全に乾燥したレベルである
ことを特徴とする、請求項１８〜２２のいずれか１項に記載の印刷絵柄の画像表示方法。
【請求項２５】
印刷機で印刷される印刷絵柄について、所定のインキ乾燥レベルにおける発色目標を設定する発色目標設定ステップと、
前記印刷機で印刷絵柄を印刷されたインキ乾燥前の印刷物の発色状態を検出する発色状態検出ステップと、
前記発色特性記憶部に記憶された前記発色特性に基づいて、前記発色目標設定部により設定された前記発色目標と、前記発色状態検出部により検出された前記発色状態とを、予め設定された基準のインキ乾燥レベルでの発色に補正した上で、前記発色状態が前記発色目標に近づくようにインキ供給を自動で制御する制御ステップとをそなえている
ことを特徴とする、印刷色調制御方法。
【請求項２６】
前記所定のインキ乾燥レベルとは、完全に乾燥したレベル、又は、前記印刷物の発色状態を検出する際の乾燥レベルである
ことを特徴とする、請求項２５記載の印刷色調制御方法。
【請求項２７】
前記基準のインキ乾燥レベルとは、前記印刷物の発色状態を検出する際の乾燥レベル、又は、完全に乾燥したレベルである
ことを特徴とする、請求項２５又は２６記載の印刷色調制御方法。
【請求項２８】
印刷色調制御を実施する際に、請求項１５〜２４のいずれか１項に記載の印刷絵柄の画像表示方法により、モニタに画像表示を行なう
ことを特徴とする、請求項２５〜２７のいずれか１項に記載の印刷色調制御方法。
【発明の詳細な説明】
【技術分野】
【０００１】
本発明は、印刷絵柄の制御に用いて好適の印刷絵柄の画像表示装置及び画像表示方法、並びに印刷色調制御装置及び方法に関するものである。
【背景技術】
【０００２】
印刷、特に、多色刷り印刷において、インキ供給量の調整等によって、印刷物の印刷絵柄が目標とする色調になるように制御することは極めて重要である。
例えば、特許文献１には、印刷色調に関する技術として、Ｉ（赤外光），Ｒ（赤），Ｇ（緑），Ｂ（青）に係る混色濃度の目標を設定し、ＩＲＧＢ濃度計を用いて印刷で得られた本刷りシートの混色濃度を計測し、混色濃度の目標値に対応する各インキ色の目標網点面積率と混色濃度を計測値に対応する各インキ色の目標網点面積率とを求め、各インキ色の目標網点面積率に対応する目標単色網濃度と実網点面積率に対応する実単色網濃度とを求めて、各インキ色の目標網点面積率に応じて目標単色網濃度と実単色網濃度とを選択し、これらの偏差に対応するベタ濃度偏差を求め、このベタ濃度偏差を参照しながら実混色濃度を目標混色濃度に近づけるようインキ供給量を調整する技術が記載されている。
【０００３】
また、特許文献２には、印刷色調に関する技術として、外部から取得した印刷対象絵柄のｋｃｍｙ網点面積率データから網点面積率を求め、基準印刷機のＩＣＣプロファイルと自機のＩＣＣプロファイルとを用いて、上記網点面積率から自機に対応した各インキ色の目標網点面積率を求め、さらに、この目標網点面積率に対応する目標単色濃度を求め、一方、ＩＲＧＢ濃度計を用いて、印刷された本刷りシートの実混色濃度を求め、さらに、この実網点面積率に対応する実単色濃度を求めて、目標網点面積率のもとでの目標単色網濃度と実単色網濃度との偏差に対応するベタ濃度偏差を求め、このベタ濃度偏差に基づき自機のインキ供給量を調整する技術が記載されている。
【０００４】
さらに、特許文献３には、印刷欠陥の検出及び印刷色調に関する技術として、印刷機の印刷部の下流に、印刷部で用紙に印刷された印刷絵柄を読み取るラインセンサを配置し、このラインセンサで読み取った印刷絵柄データと、この印刷絵柄の見本となる見本絵柄データとを、所定の領域単位で比較して、この所定領域毎に濃度差を計算し、計算した差と閾値との比較により印刷欠陥を検出すると共に、印刷絵柄データと見本絵柄データとを、所定の領域単位で比較して、この所定領域毎に濃度差を計算し、計算した差と所定の閾値との比較により印刷欠陥を検出すると共に、計算した差の大きさに応じてインキ供給量を調整し、印刷欠陥を検出する際の所定の閾値を、インキ供給量調整による濃度制御に濃度差の範囲よりも大きい値に設定する技術が記載されている。
【０００５】
また、特許文献４には、印刷色調に関する技術として、印刷プロファイルの色の情報に従って、印刷本機のデバイス値を色彩値に変換し、さらに、モニタプロファイルの色の情報に従って、この色彩値をモニタのデバイス値に変換することにより、任意のデザインデータをモニタで表示したものの色を、このデザインデータを印刷本機で出力して得た印刷物の色と同じものにすることにより、印刷物の色校正を低コストかつ短期間で行なえる色校正システムが記載されている。
【特許文献１】特許第３８２５４２７号公報
【特許文献２】特許第３８３６１０７号公報
【特許文献３】特許第３７９０４９０号公報
【特許文献４】特開２００５−３１１８４０号公報
【発明の開示】
【発明が解決しようとする課題】
【０００６】
ところで、特許文献１〜３に記載されているように、印刷機のライン上にセンサを取り付けて印刷後の色調を検出して印刷の制御に用いれば、機械を通常運転しながら、印刷直後の検出情報に基づくフィードバック制御を行なって適正な印刷状態を維持することや、印刷異常を速やかに検出することができ、損紙を低減し、要求された印刷を速やかに完了することができる。
【０００７】
しかしながら、インキを使う印刷では、インキは紙に転写した後の乾燥過程で、いわゆるドライダウンと称される発色濃度の低下が発生する。つまり、印刷機のライン上のセンサで検出された発色状態は、このドライダウンが完了する前のいわゆるウェット状態のものであり、例えばドライダウン後の見本の色とは異なることになる。このため、例えば、特許文献４の色校正システムを実施する場合など、実際の印刷物と見本（印刷目標）との比較等において、この点を考慮する必要がある。
【０００８】
本発明はこのような課題に鑑み案出されたもので、印刷機のライン上にセンサを取り付けて印刷後の色調を検出しこれをフィードバックして印刷機の色調を見本等に合わせる場合に、ドライダウンを考慮しながら適正に実施することができるようにした、印刷絵柄の画像表示装置及び方法、並びに印刷色調制御装置及び方法を提供することを目的とする。
【課題を解決するための手段】
【０００９】
上記目的を達成するために、本発明の印刷絵柄の画像表示装置（請求項１）は、印刷機で印刷される印刷絵柄の発色状態の情報をインキ乾燥レベルと対応して入力される発色情報入力部と、前記インキ乾燥レベルに応じた発色特性を記憶した発色特性記憶部と、前記発色情報入力部に入力された前記印刷絵柄のインキ乾燥レベル及び発色状態の情報と、前記発色特性記憶部に記憶された前記発色特性とから、指定されたインキ乾燥状態における前記印刷絵柄の発色状態に応じた表示画像情報を生成する表示画像情報生成部と、前記表示画像情報生成部により生成された表示画像情報を表示可能であるモニタと、をそなえていることを特徴としている。
【００１０】
なお、インキ乾燥レベルとは、インキがどの程度乾燥したかに相当するもので、印刷直後のウェット状態からインキが完全に乾燥した状態までを含むものとする。
前記発色特性記憶部には、前記のインキ乾燥レベルに応じた発色特性として、少なくとも、前記インキ乾燥前の特定乾燥レベルの発色状態と、その後、インキ乾燥後の発色状態との対応関係が記憶されていることが好ましい（請求項２）。
【００１１】
前記モニタには、前記印刷機を操作する操作端末用モニタが兼用されていることが好ましい（請求項３）。
さらに、前記印刷機で前記印刷絵柄を印刷されたインキ乾燥前の印刷物の発色状態を検出する発色状態検出部を、さらにそなえ、前記発色情報入力部には、前記発色状態検出部で検出された前記印刷物の発色状態の検出情報である印刷物検出情報が入力されることが好ましい（請求項４）。
【００１２】
この場合、前記印刷絵柄の製版データから該製版データに対応した刷版により前記印刷機で印刷した場合の、所定のインキ乾燥レベルに応じた印刷物の発色状態を、予め設定された製版データと発色状態との対応関係から算出する製版データ対応発色状態算出部を、さらにそなえ、前記発色情報入力部には、前記製版データ対応発色状態算出部で算出された前記製版データに基づく発色状態の算出情報である製版データ対応算出情報が入力されることが好ましい（請求項５）。
【００１３】
前記モニタは、前記表示画像情報生成部により前記印刷物検出情報と予め設定された基準のインキ乾燥レベルとから生成された印刷物画像情報と、前記表示画像情報生成部により前記製版データ対応算出情報と前記基準のインキ乾燥レベルとから生成された基準画像情報とを、対比して表示しうることが好ましい（請求項６）。
前記発色情報入力部には、前記発色状態検出部により検出された前記印刷絵柄の印刷見本の発色状態の検出情報である印刷見本検出情報が入力されることが好ましい（請求項７）。
【００１４】
この場合、前記モニタは、前記表示画像情報生成部により前記印刷物検出情報と予め設定された基準のインキ乾燥レベルとから生成された印刷物画像情報と、前記表示画像情報生成部により前記印刷見本検出情報と前記基準のインキ乾燥レベルとから生成された基準画像情報とを、対比して表示しうることが好ましい（請求項８）。
前記基準のインキ乾燥レベルとは、前記発色状態検出部により前記印刷物の発色状態を検出する際の乾燥レベルであることが好ましい（請求項９）。
【００１５】
あるいは、前記基準のインキ乾燥レベルとは、完全に乾燥したレベルであることが好ましい（請求項１０）。
本発明の印刷色調制御装置（請求項１１）は、印刷機で印刷される印刷絵柄について、所定のインキ乾燥レベルにおける発色目標を設定する発色目標設定部と、前記インキ乾燥レベルに応じた発色特性を記憶した発色特性記憶部と、前記印刷機で前記印刷絵柄を印刷されたインキ乾燥前の印刷物の発色状態を検出する発色状態検出部と、前記発色特性記憶部に記憶された前記発色特性に基づいて、前記発色目標設定部により設定された前記発色目標と、前記発色状態検出部により検出された前記発色状態とを、いずれも予め設定された基準のインキ乾燥レベルでの発色に補正した上で、前記発色状態が前記発色目標に近づくようにインキ供給を自動で制御する制御部とをそなえていることを特徴としている。
【００１６】
前記所定のインキ乾燥レベルとは、完全に乾燥したレベル、又は、前記発色状態検出部により前記印刷物の発色状態を検出する際の乾燥レベルであることが好ましい（請求項１２）。
前記基準のインキ乾燥レベルとは、前記発色状態検出部により前記印刷物の発色状態を検出する際の乾燥レベル、又は、完全に乾燥したレベルであることが好ましい（請求項１３）。
【００１７】
また、請求項４〜１０のいずれか１項に記載の印刷絵柄の画像表示装置を含んでいることが好ましい（請求項１４）。
本発明の印刷絵柄の画像表示方法（請求項１５）は、印刷機で印刷される印刷絵柄の発色状態の情報をインキ乾燥レベルと対応して入力する入力ステップと、前記入力された前記印刷絵柄のインキ乾燥レベル及び発色状態の情報と、予め記憶された前記インキ乾燥レベルに応じた発色特性と、指定されたインキ乾燥レベルにおける前記印刷絵柄の発色状態に応じた表示画像情報を生成する画像生成ステップと、前記表示画像情報生成部により生成された表示画像情報をモニタに表示する表示ステップと、をそなえていることを特徴としている。
【００１８】
前記のインキ乾燥レベルに応じた発色特性とは、少なくとも、前記インキ乾燥前の特定乾燥レベルの印刷絵柄の発色状態と、その後、インキ乾燥後の印刷絵柄の発色状態との対応関係を含んでいることが好ましい（請求項１６）。
前記モニタとして、前記印刷機を操作する操作端末用モニタを兼用することが好ましい（請求項１７）。
【００１９】
前記入力ステップでは、前記印刷機で前記印刷絵柄を印刷されたインキ乾燥前の印刷物の発色状態の検出情報である印刷物検出情報が入力されることが好ましい（請求項１８）。
前記入力ステップでは、記印刷絵柄の製版データから該製版データに対応した刷版により前記印刷機で印刷した場合の、所定のインキ乾燥レベルに応じた印刷物の発色状態を、予め設定された製版データと発色状態との対応関係から算出した情報である製版データ対応算出情報が入力されることが好ましい（請求項１９）。
【００２０】
前記表示ステップでは、前記印刷物検出情報と予め設定された基準のインキ乾燥レベルとから生成された印刷物画像情報と、前記製版データ対応算出情報と前記基準のインキ乾燥レベルとから生成された基準画像情報とを、対比してモニタに表示することが好ましい（請求項２０）。
前記入力ステップでは、前記印刷絵柄の印刷見本の発色状態の検出情報である印刷見本検出情報が入力されることが好ましい（請求項２１）。
【００２１】
この場合、前記表示ステップでは、前記印刷物検出情報と予め設定された基準のインキ乾燥レベルとから生成された印刷物画像情報と、前記印刷見本検出情報と前記基準のインキ乾燥レベルとから生成された基準画像情報とを、対比して表示することが好ましい（請求項２２）。
前記基準のインキ乾燥レベルとは、前記発色状態検出部により前記印刷物の発色状態を検出する際の乾燥レベルであることが好ましい（請求項２３）。
【００２２】
或いは、前記基準のインキ乾燥レベルとは、完全に乾燥したレベルであることが好ましい（請求項２４）。
本発明の印刷色調制御装置（請求項２５）は、印刷機で印刷される印刷絵柄について、所定のインキ乾燥レベルにおける発色目標を設定する発色目標設定ステップと、前記印刷機で印刷絵柄を印刷されたインキ乾燥前の印刷物の発色状態を検出する発色状態検出ステップと、前記発色特性記憶部に記憶された前記発色特性に基づいて、前記発色目標設定部により設定された前記発色目標と、前記発色状態検出部により検出された前記発色状態とを、予め設定された基準のインキ乾燥レベルでの発色に補正した上で、前記発色状態が前記発色目標に近づくようにインキ供給を自動で制御する制御ステップとをそなえていることを特徴としている。
【００２３】
前記所定のインキ乾燥レベルとは、完全に乾燥したレベル、又は、前記印刷物の発色状態を検出する際の乾燥レベルであることが好ましい（請求項２６）。
前記基準のインキ乾燥レベルとは、前記印刷物の発色状態を検出する際の乾燥レベル、又は、完全に乾燥したレベルであることが好ましい（請求項２７）。
さらに、印刷色調制御を実施する際に、請求項１５〜２４のいずれか１項に記載の印刷絵柄の画像表示方法により、モニタに画像表示を行なうことが好ましい（請求項２８）。
【発明の効果】
【００２４】
本発明の印刷絵柄の画像表示装置及び方法（請求項１，１５）によれば、印刷機で印刷される印刷絵柄の発色状態の情報とこの時のインキ乾燥レベルとから、指定されたインキ乾燥レベルにおける印刷絵柄の発色状態に応じた表示画像情報を生成することができ、生成された表示画像情報をモニタに表示することにより、インキ乾燥レベル、つまり、ドライダウンの進行に応じた発色状態を、モニタを通して視認することができ、ドライダウンを考慮した発色状態を確認することができる。
【００２５】
インキ乾燥レベルに応じた発色特性として、少なくとも、インキ乾燥前の特定乾燥レベルの発色状態と、その後のインキ乾燥後の発色状態との対応関係が記憶されていれば（請求項２，１６）、かかる２つのインキ乾燥レベルについて、一方のインキ乾燥レベルにおける発色状態の情報が得られれば、他方のインキ乾燥レベルにおける発色状態の情報に変換することができる。
【００２６】
なお、モニタに、印刷機を操作する操作端末用モニタを兼用すれば（請求項３，１７）、スペース効率の向上や設備コストの低減に寄与しうる。
印刷機で印刷絵柄を印刷されたインキ乾燥前の印刷物の発色状態を検出して、この検出情報である印刷物検出情報が入力されれば（請求項４，１８）、実際の印刷直後の印刷絵柄の画像を、インキ乾燥レベル、つまり、ドライダウンの進行に応じた発色状態で、モニタに表示することができ、印刷機を作動させながら得られる印刷結果についてのドライダウンを考慮した発色状態を、リアルタイムで確認することができる。
【００２７】
また、印刷する印刷絵柄の製版データからこれに対応した刷版により前記印刷機で印刷した場合に得られる、所定のインキ乾燥レベルに応じた印刷物の発色状態を、予め設定された製版データと発色状態との対応関係から算出し、この発色状態を入力すると（請求項５，１９）、所定のインキ乾燥レベルに応じた発色特性から、指定されたインキ乾燥レベルにおける印刷絵柄の発色状態に応じた表示画像情報を生成しモニタに表示することができ、これにより、製版データに応じた発色状態を、例えば目標とする発色状態として、ドライダウンを考慮した状態でモニタを通して視認することができる。
【００２８】
そして、モニタに、印刷物画像から生成された印刷物画像情報と製版データから生成された基準画像情報とを、対比して表示することにより（請求項６，２０）、印刷物画像情報である印刷結果の発色状態を、基準画像情報である目標の発色状態と比較しながら、色合わせを行なうことが可能になる。特に、同一のモニタ画面に印刷物画像と基準画像とを表示することにより、個々のモニタの発色特性に応じた発色の誤差影響をなくすことができ、色合わせを適切に行なうことができる。
【００２９】
あるいは、発色状態検出部により印刷絵柄の印刷見本の発色状態を検出し、この発色状態を入力すると（請求項７，２１）、発色状態検出部におけるインキ乾燥レベルに応じた印刷見本の発色特性から、指定されたインキ乾燥レベルにおける印刷見本の発色状態に応じた表示画像情報を生成しモニタに表示することができ、これにより、印刷見本の発色状態を、例えば目標とする発色状態として、ドライダウンを考慮した状態でモニタを通して視認することができる。
【００３０】
モニタに、印刷物画像から生成された印刷物画像情報と印刷見本から生成された基準画像情報とを、対比して表示することにより（請求項８，２２）、印刷物画像情報である印刷結果の発色状態を、基準画像情報である目標の発色状態と比較しながら、色合わせを行なうことが可能になる。特に、同一のモニタ画面に印刷物画像と基準画像とを表示することにより、個々のモニタの発色特性に応じた発色の誤差影響をなくすことができ、色合わせを適切に行なうことができる。
【００３１】
基準のインキ乾燥レベルを、発色状態検出部により印刷物の発色状態を検出する際の乾燥レベルとすれば（請求項９，２３）、インキが乾燥する前のウェット状態の発色状態を基準にモニタに表示することになり、基準のインキ乾燥レベルを、完全に乾燥したレベルとすれば（請求項１０，２４）、インキが乾燥したドライ状態の発色状態を基準にモニタに表示することになる。このように、いずれかのインキ乾燥レベルを基準にしてモニタに表示すれば、その時点の発色状態を目視により確認することができ、色合わせに適用することができる。
【００３２】
本発明の印刷色調制御装置及び方法（請求項１１，２５）によれば、発色目標と、検出された発色状態とを、いずれも予め設定された基準のインキ乾燥レベルでの発色に補正した上で、発色状態が発色目標に近づくようにインキ供給を自動で制御するので、インキのドライダウンの進行を考慮した適切なインキ供給制御を実現でき、発色状態を発色目標に適切に近づけることができる。
【発明を実施するための最良の形態】
【００３３】
以下、図面により、本発明の実施の形態について説明する。
図１〜図９は本発明の一実施形態に係る印刷絵柄の画像表示装置及び印刷色調制御装置を示すものであり、これらの図に基づいて説明する。
【００３４】
［品質制御装置の構成］
まず、本実施形態に係る印刷色調制御装置の機能を有する品質制御装置について説明する。
本実施形態の場合、図２に示すように、印刷機は新聞輪転機６である。
はじめに新聞輪転機６を説明すると、本実施形態の新聞輪転機６は多色刷りの両面印刷機であり、給紙部１１とインフィード部（図示略）と印刷部１２とウェブパス部１３と折機１４と排紙部１５とをそなえ、給紙部１１から供給されるウェブ（連続紙、以下、印刷シートとも言う）１０に印刷部１２で印刷を行ない、ウェブパス部１３を経て折機１４でウェブ１０を切断して折りを行なって排紙部１５において排紙する。印刷部１２には、走行するウェブ１０の印刷部分の絵柄の発色状態としての混色網濃度（実濃度）を検出するＩＲＧＢ濃度計（発色状態検出部、検出手段）１６と、印刷部１２におけるインキ供給量（具体的にはインキキー）と湿し水とを制御する輪転機制御装置１７とを備えている。
【００３５】
このような新聞輪転機６に対して設けられた品質制御装置画像サーバ２は、客先の製版側ＣＴＰサーバ１から、印刷データとして高解像度の紙面イメージデータをTiff形式で送信されジョブ情報をXML形式で送信され、紙面イメージデータを印刷機で扱える所定の規格（例えばＣＩＰ４規格）のデータに変換する。なお、図示しないが、客先製版側ＣＴＰサーバ１からの紙面イメージデータに基づいてＣＴＰにより刷版が製版される。
【００３６】
オペレーションターミナルパソコン３は、品質制御装置画像サーバ（操作端末）２で所定の規格に変換された紙面イメージデータとジョブ情報とに基づいてインキ供給量をプリセットしたり制御したりするためのもので、インキ供給量調整により後述の色調制御を行なう際にオペレータが監視や指令等を行なうために用いられる。特に、タッチディスプレイ３ａをそなえ、タッチディスプレイ３ａの画面を見ながら、指令等を行なうことができる。
【００３７】
ＣＣＳパソコン４は、輪転機側の管理システムに供えられ、品質制御装置画像サーバ２で所定の規格データに変換された紙面イメージデータのページをどの印刷ユニットに割り付けるか等の処理や他の運転条件の入力などの処理を行なうためのものである。
品質制御装置５は、印刷時の自動制御を行なうためのもので、各印刷機のＩＲＧＢ濃度計１６から出力される紙面画像信号に基づいて各印刷機の色調自動制御にかかる制御量を算出するための演算装置５ａと、これらの演算装置５ａからの制御量情報や輪転機の状態信号や排紙部１５からのエンコーダ信号を入力され、色調自動制御にかかるインキキー制御信号，湿し水制御指令や、欠陥紙面排紙指令を出力し、各制御を行なう。品質制御装置５のこれらの機能のうち、インキキー制御による色調自動制御に関する機能要素が、本実施形態にかかる印刷色調制御装置に相当する。
【００３８】
なお、オペレーションターミナルパソコン３は、品質制御装置５によって行なう制御に関する各種の設定を行なうことができ、オペレーションターミナルパソコン３及び品質制御装置５から印刷自動制御装置８が構成されている。
なお、本実施形態にかかる印刷絵柄の画像表示装置及び印刷色調制御装置では、実際の印刷を行なった際の印刷絵柄等を表示する表示用モニタとして、品質制御装置５の品質制御装置画像サーバ２のモニタ（操作端末用モニタ）２ａが兼用されている。また、本実施形態の場合、表示用モニタ２ａに印刷絵柄等を表示するための演算を行なう演算装置にも、品質制御装置画像サーバ２の演算装置２ｂが兼用されている。
【００３９】
［印刷絵柄の画像表示装置の構成］
ここで、本実施形態にかかる印刷絵柄の画像表示装置を説明すると、図１に示すように、演算装置２ｂには、画像表示装置の機能として、印刷絵柄の発色状態の情報をインキ乾燥レベルと対応して入力される発色情報入力部２１，インキ乾燥レベルに応じた発色特性を記憶した発色特性記憶部２２，指定されたインキ乾燥レベルにおける表示画像情報を生成する表示画像情報生成部２３の各機能がそなえられ、さらに、印刷色調制御の機能として、発色目標設定部２４がそなえられている。なお、インキ乾燥レベルとは、インキがどの程度乾燥したかに相当するもので、印刷直後のウェット状態からインキが完全に乾燥した状態までを含むものとする。
【００４０】
発色情報入力部２１には、ＩＲＧＢ濃度計（発色状態検出部）１６により検出された検出情報、即ち、印刷機６で所定の印刷絵柄を印刷されたインキ乾燥前の印刷物の発色状態を示す、印刷絵柄の各部のＩＲＧＢの検出データや、かかる印刷絵柄の製版データに対応した発色状態を示す、印刷絵柄の各部のＩＲＧＢデータが入力される。
なお、製版データは各インキ色［ｋ（クロ；墨），ｃ（シアン；藍），ｍ（マゼンタ；紅），ｙ（イエロー；黄）］の印刷絵柄の各部の網点面積率情報ｃ，ｍ，ｙ，ｋであるのに対して、発色状態は各色光［Ｉ（赤外光）、Ｒ（赤）、Ｇ（緑）、Ｂ（青）］の反射濃度情報Ｉ，Ｒ，Ｇ，Ｂとして与えられる。
【００４１】
したがって、製版データに対応した刷版により印刷機６で印刷した場合にＩＲＧＢ濃度計（発色状態検出部）１６によって検出される発色状態（反射濃度）Ｉ，Ｒ，Ｇ，Ｂは、例えば、ＩＲＧＢ濃度計１６のセンサ値Ｉ，Ｒ，Ｇ，Ｂと色空間座標Ｌａｂとの関係を示すデバイスプロファイル（ＩＣＣプロファイル１）と、製版データｃ，ｍ，ｙ，ｋと色空間座標Ｌａｂとの関係を示す印刷機６のデバイスプロファイル（ＩＣＣプロファイル２）とを用意すれば、製版データｃ，ｍ，ｙ，ｋからこれに応じた発色状態（反射濃度）Ｉ，Ｒ，Ｇ，Ｂを得ることができる。
【００４２】
なお、印刷後のインキのドライダウンを考慮すると、各デバイスプロファイルは、インキが完全に乾いた乾燥レベル（つまり、通常、印刷製品として消費者の手に渡った乾燥状態）のもの（これを、「ドライ状態のデバイスプロファイル」という）と、例えばＩＲＧＢ濃度計１６により検出した時点のインキが乾かないウェット状態のもの（これを、「ウェット状態のデバイスプロファイル」という）とがある。これらの各インキ乾燥レベルの各デバイスプロファイルは、インキ乾燥レベルに応じた発色特性に相当するもので、発色特性記憶部２２には、これらの各インキ乾燥レベルの各デバイスプロファイルが記憶されている。なお、これらの各デバイスプロファイルの取得方法については後述する。
【００４３】
ここでは、このようにして製版データｃ，ｍ，ｙ，ｋから得られた発色状態（反射濃度）Ｉ，Ｒ，Ｇ，Ｂを発色目標（目標濃度）として、発色情報入力部２１に入力するが、発色目標（目標濃度）としては、製版データｃ，ｍ，ｙ，ｋに基づく以外に、印刷見本（持込ゲラ）をＩＲＧＢ濃度計１６により計測して得ることもできる。ただし、この場合、別途、計測作業が必要になるため、製版データｃ，ｍ，ｙ，ｋから得る方が簡便である。
【００４４】
表示画像情報生成部２３では、発色情報入力部２１に入力された各発色状態、つまり、ＩＲＧＢ濃度計１６による検出情報（印刷直後でインキ乾燥前の発色状態の情報）と、発色目標（目標濃度）とを表示する。この表示には、検出画像（ＩＲＧＢ濃度計１６により検出された発色状態を示す画像）のみ或いは目標画像（発色目標を示す画像）のみを単独で表示するモードと、検出画像と目標画像とを対比して表示するモードとを選択できるようになっており、さらに、これらの表示は、指定されたインキ乾燥レベルに応じて実施するようになっている。ここでは、インキ乾燥レベルとして、インキが完全に乾いたレベル（ドライ状態）と、ＩＲＧＢ濃度計１６により検出した時点のインキが乾かないレベル（ウェット状態）との２種類が設けられ、選択して表示を指定できるようになっている。
【００４５】
ここでは、品質制御装置画像サーバ２のモニタ２ａにおいて、印刷絵柄の発色状態を示す画像を表示するモードを選択したら、画像表示配置として、検出画像の単独表示と、目標画像（基準画像）の単独表示と、両画像の対比表示との選択メニュー、及び、インキ乾燥レベルとして、ドライ状態と、ウェット状態との選択メニューを表示して、これらのメニューから表示したいモードをマウス等の操作によって選択できるようになっている。図１には対比表示でウェット状態を選択した場合を示しているが、画面下部には、検出画像，目標画像，対比の選択メニューと、ドライ，ウェットの選択メニューとが表示されており、表示を切り替えることができるようになっている。
【００４６】
つまり、モニタ２ａにおける画像表示配置としては、図３（ａ）に示すように、検出画像（センサ画像）と目標画像（製版画像）とを対比して表示するものと、図３（ｂ）に示すように、検出画像（センサ画像）を単独で表示するものと、図３（ｃ）に示すように、目標画像（製版画像）を単独で表示するものとがある。また、品質制御装置画像サーバ２のモニタ２ａが、品質制御装置の端末として用いられるときには、図３（ｄ）に示すように、端末操作画面が表示される。
【００４７】
［印刷色調制御］
ここで、本実施形態にかかる印刷色調制御装置による制御、つまり、品質制御装置５の色調自動制御のインキキー制御に関して説明すると、この色調制御では、検出した印刷絵柄の発色状態である実濃度と発色目標である目標濃度とを比較して、実濃度が目標濃度に近づくようにインキ供給量（インキキー開度）を制御する。このとき、実濃度と目標濃度とを、インキ乾燥レベルを一致させた上で制御を行なう。
【００４８】
つまり、ＩＲＧＢ濃度計１６により検出した時点ではインキが乾かないウェット状態なので一般に発色濃度は高いが、その後のドライダウンによって発色濃度は次第に低下していく。一方、目標発色濃度としては、通常はインキが完全に乾いたドライ状態のものが与えられる。このため、ＩＲＧＢ濃度計１６により検出したウェット状態の発色濃度をドライ状態の目標発色濃度と比較しても正しくは制御できない。
【００４９】
そこで、例えば、発色特性記憶部２２に記憶された発色特性を用いて、ドライ状態の目標濃度をＩＲＧＢ濃度計１６により検出した時点と同様のウェット状態の目標発色濃度に換算した上で、このウェット状態の目標発色濃度にＩＲＧＢ濃度計１６により検出したウェット状態の発色濃度を比較して実発色濃度が目標発色濃度に近づくようにインキ供給量（インキキー開度）を制御する。
【００５０】
なお、ここで、ＩＲＧＢ濃度計１６により検出される検出発色濃度も、目標発色濃度も、各発色（各反射色）Ｉ，Ｒ，Ｇ，Ｂが混在するものであるが、これらを例えばセンサデバイスプロファイルや印刷機のデバイスプロファイル等を用いて、各単色のインキ色濃度ｃ，ｍ，ｙ，ｋに変換した上で、各単色のインキ色濃度ｃ，ｍ，ｙ，ｋをベタ濃度値に変換し、検出濃度にかかるベタ濃度値と目標濃度にかかるベタ濃度値との差分をとって、検出発色濃度にかかるベタ濃度値が目標発色濃度にかかるベタ濃度値よりも小さければ当該インキの供給量を増加させ、検出発色濃度にかかるベタ濃度値が目標発色濃度にかかるベタ濃度値よりも大きければ当該インキの供給量を減少させるように制御する。
【００５１】
もちろん、インキ乾燥レベルを一致させた上で実濃度と目標濃度とを用いればよく、発色特性記憶部２２に記憶された発色特性を用いて、ＩＲＧＢ濃度計１６により検出したウェット状態の発色濃度をドライ状態の発色濃度に変換した上で、このドライ状態の検出発色濃度にかかる各インキのベタ濃度値と、ドライ状態の目標発色濃度にかかる各インキのベタ濃度値とを比較して、インキの供給量を制御するようにしてもよい。
【００５２】
なお、印刷色調制御は、品質制御装置５による色調自動制御のほか、オペレータが手動により色調制御を行なえるように、品質制御装置５には、その端末である品質制御装置画像サーバ２によって、色調自動制御モードと色調手動制御モードとを選択できるようにあっている。特に、色調手動制御モードでは、品質制御装置画像サーバ２のモニタ２ａを印刷絵柄の発色状態を示す画像を表示しながらこれを参照して手動操作することができるようになっている。
【００５３】
［ＩＣＣプロファイルの取得］
・ドライ状態のＩＣＣプロファイルの取得方法
ドライ状態のＩＣＣプロファイルを取得するには、例えば図４のフローチャートに示すように、回転体に、本印刷機６で印刷したドライ状態のカラースケール（例えばＩＳＯ１２６４２チャートを使用）の印刷サンプルを貼り、各カラースケールの濃度ＩＲＧＢをＩＲＧＢ濃度計１６により測定する（ステップａ１０）。
【００５４】
次に、この濃度ＩＲＧＢを測定したカラースケールのＬａｂを一般的な計測器で計測する（ステップａ２０）。
この結果、ドライ状態のセンサＩＲＧＢとＬａｂとの対応関係に相当するＩＲＧＢ濃度計１６のデバイスプロファイル（ＩＣＣプロファイル１）を作成することができる。
また、使用したカラースケールの製版データｃｍｙｋは既知であるので、ドライ状態の製版データｃｍｙｋとＬａｂとの対応関係に相当する印刷機６のデバイスプロファイル（ＩＣＣプロファイル２）を作成することができる。
【００５５】
これらのＩＣＣプロファイル１，２から、ドライ状態の製版データｃｍｙｋとセンサＩＲＧＢのデバイスプロファイル（ＩＣＣプロファイル３）を作成することができる（以上、ステップａ３０）。
・ウェット状態のＩＣＣプロファイルの取得方法
ウェット状態のＩＣＣプロファイルを取得するには、例えば図５のフローチャートに示すように、機上で、カラースケールを印刷して、各カラースケールの濃度ＩＲＧＢをＩＲＧＢ濃度計１６により測定する（ステップｂ１０）。
【００５６】
次に、ＩＣＣプロファイル１を使って、このカラースケールのＬａｂを計算する（ステップｂ２０）。
この結果、ウェット状態のセンサＩＲＧＢとＬａｂとの対応関係に相当するＩＲＧＢ濃度計１６のデバイスプロファイル（ＩＣＣプロファイル４）を作成することができる。
また、使用したカラースケールの製版データｃｍｙｋは既知であるので、ウェット状態の製版データｃｍｙｋとＬａｂとの対応関係に相当する印刷機６のデバイスプロファイル（ＩＣＣプロファイル５）を作成することができる。
【００５７】
これらのＩＣＣプロファイル４，５から、ウェット状態の製版データｃｍｙｋとセンサＩＲＧＢのデバイスプロファイル（ＩＣＣプロファイル６）を作成することができる（以上、ステップｂ３０）。
【００５８】
［作用，効果］
本発明の一実施形態にかかる印刷絵柄の画像表示装置及び印刷色調制御装置は上述のように構成されているので、以下のようにして印刷絵柄の画像表示及び印刷色調制御を行なうことができる。
【００５９】
［印刷色調制御］
色調制御の際には、まず、図６（ａ）に示すように、製版データｃ，ｍ，ｙ，ｋから得られるドライ状態の発色状態（反射濃度）Ｉ，Ｒ，Ｇ，Ｂ、或いは、持込ゲラから得られるドライ状態の発色状態（反射濃度）Ｉ，Ｒ，Ｇ，Ｂにより、モニタ２ａ上にドライで発色目標のモニタシミュレーションを行なう。
【００６０】
次に、図６（ｂ）に示すように、ウェット釦を指定して発色目標をウェット状態に変換してモニタ２ａ上に表示にし、ウェット状態の検出画像（センサ・リアル画像）と対比表示する。
ここで、色調制御を手動で行なう場合、キーを調整して、検出画像（センサ・リアル画像）が製版画像（ウェット表示）の色になるよう検出画像（センサ・リアル画像）の色を修正する。
【００６１】
一方、色調制御を手動で行なう場合、製版画像（ウェット表示）の目標濃度を濃度制御装置に送信して、色調制御する。
これにより、以下のような効果を得ることができる。
（ａ）発色目標の製版画像と印刷中の検出画像との両方の色を１つのモニタ２ａに映し出すので、モニタをキャリブレーションする必要がない。
（ｂ）印刷絵柄を表示する表示用モニタとして、品質制御装置５の品質制御装置画像サーバ２のモニタ（操作端末用モニタ）２ａが兼用されているのでモニタにかかる設備コストを抑制することができ、また、モニタ設置にかかるスペース上の節約にもなる。
（ｃ）同一のインキ乾燥レベル（例えば、完全なウェット状態）での色合わせが可能となるので、ドライダウンの進行を考慮して正確に色合わせを行なうことができる。
【００６２】
［印刷絵柄の画像表示］
・ドライ状態のモニタ表示
検出画像（センサ・リアル画像）及び製版画像をドライ状態でモニタ表示する場合、図７に示すように、ＩＲＧＢ濃度計１６により検出したウェット状態のＩＲＧＢを、ＩＣＣプロファイル３及びＩＣＣプロファイル６を用いたＣＭＳ変換により、ドライ状態のＩＲＧＢに変換し、さらに、ＩＣＣプロファイル１を用いたＣＭＳ変換により、ドライ状態のＬａｂに変換した上で、モニタ２ａのモニタプロファイルを通じたＣＭＳ変換によりモニタ２ａに画像表示ＲＧＢする。
【００６３】
一方、製版データｃ，ｍ，ｙ，ｋを、ＩＣＣプロファイル２を用いたＣＭＳ変換により、ドライ状態のＬａｂに変換した上で、モニタ２ａのモニタプロファイルを通じたＣＭＳ変換によりモニタ２ａに画像表示ＲＧＢする。
このようにして、検出画像及び製版画像をいずれもドライ状態としてモニタ２ａ上に表示することにより、ドライ状態で供給される実際の商品に近い色合いをモニタ２ａで参照しながら適切に色合わせを行なうことができる。
【００６４】
・ウェット状態のモニタ表示
検出画像（センサ・リアル画像）及び製版画像をウェット状態でモニタ表示する場合、図８に示すように、ＩＲＧＢ濃度計１６により検出したウェット状態のＩＲＧＢを、ＩＣＣプロファイル４を用いたＣＭＳ変換により、ウェット状態のＬａｂに変換した上で、モニタ２ａのモニタプロファイルを通じたＣＭＳ変換によりモニタ２ａに画像表示ＲＧＢする。
【００６５】
一方、製版データｃ，ｍ，ｙ，ｋを、ＩＣＣプロファイル５を用いたＣＭＳ変換により、ウェット状態のＬａｂに変換した上で、モニタ２ａのモニタプロファイルを通じたＣＭＳ変換によりモニタ２ａに画像表示ＲＧＢする。
このようにして、検出画像及び製版画像をいずれもウェット状態としてモニタ２ａ上に表示することにより、ＩＲＧＢ濃度計１６による検出データをドライ状態に変換することなくそのまま用いながら色合わせを行なうので、検出データにかかる演算装置の演算負担を軽減しながら適切に色合わせを行なうことができる。特に、自動で色合わせを行なう際には、演算負担の軽減メリットは大きいものと考えられる。
【００６６】
［センサ画像の解像度向上表示］
センサ画像は、通常、製版画像に比べて解像度が低いため、モニタ表示を参照しながら色合わせを行なう場合、センサ画像の解像度を向上させることは色合わせ精度を向上させる上で極めて有効である。
【００６７】
そこで、図９（ａ）に示すように、センサ画素に対応した製版データを用いてセンサ画像の解像度を向上させることが考えられる。つまり、まず、ＩＲＧＢ濃度計１６による検出データであるウェット状態のＩＲＧＢを、ＩＣＣプロファイル６を用いたＣＭＳ変換により、ウェット状態の網点面積率ｃ，ｍ，ｙ，ｋに変換する。各センサ画素のウェット状態のＩＲＧＢを変換した網点面積率ｃ，ｍ，ｙ，ｋは、これに対応した位置の製版データの網点面積率ｃ，ｍ，ｙ，ｋと対応させることができる。
【００６８】
図９（ｂ）に網点面積率ｃについて例示するが、各センサ画素に対して製版データの画素は細かいため、１つのセンサ画素の網点面積率ｃに対して多数の製版データの網点面積率ｃ１〜ｃ８が存在する。ここで、センサ画素の網点面積率ｃに対する製版データの網点面積率ｃ１〜ｃ８の平均値の比の値（係数）ｋc［ｃ＝ｋc×ａｖｅｒａｇｅ（ｃ１〜ｃ８）］を求める。そして、図９（ｃ）に網点面積率ｃについて例示するように、各センサ画素に対応する製版データの網点面積率ｃに、これらの求めた係数ｋcを乗算して、センサ画素よりも細かい製版データの画素単位の網点面積率ｃ´を得ることができる。
【００６９】
図９（ａ）に示すように、各インキ色について、係数ｋc，ｋm，ｋy，ｋkを求め、各センサ画素に対応する製版データの網点面積率ｃ，ｍ，ｙ，ｋに、これらの求めた係数ｋc，ｋm，ｋy，ｋkを乗算して、センサ画素よりも細かい製版データの画素単位の網点面積率ｃ´，ｍ´，ｙ´，ｋ´を得ることができる。こうして得られた網点面積率ｃ´，ｍ´，ｙ´，ｋ´を、ＩＣＣプロファイル５を用いたＣＭＳ変換により、ウェット状態のＬａｂに変換した上で、モニタ２ａのモニタプロファイルを通じたＣＭＳ変換によりモニタ２ａに画像表示ＲＧＢする。
【００７０】
これにより、センサ画素よりも細かい製版データの画素単位でセンサ画像を表示することができるので、センサ画像の解像度が向上し、色合わせ精度を向上させることができる。
【００７１】
［その他］
以上、本発明の実施形態について説明したが、本発明の実施の形態は上述のものに限定されない。
例えば、発色状態検出部として印刷機のライン上に搭載する発色濃度検出用のセンサは、ＩＲＧＢ濃度計に限るものではなく、ＲＧＢ濃度計でもよく、また、カメラを用いたものなど種々のものを適用しうる。
【００７２】
また、上記の実施形態では、インキ乾燥レベルとして、インキが完全に乾いたレベル（ドライ状態）と、ＩＲＧＢ濃度計１６により検出した時点のインキが乾かないレベル（ウェット状態）との２種類を設定しているが、例えば、インキのドライダウンが完了する前の時点で印刷物が供給される場合などは、その印刷物供給時点のインキ乾燥レベルを設定して、モニタに表示するなど、種々のインキ乾燥レベルを想定しうる。
また、ＩＣＣプロファイルの取得についても上記実施形態のものに限定されるものではない。
【図面の簡単な説明】
【００７３】
【図１】本発明の一実施形態にかかる印刷絵柄の画像表示装置を示す構成図である。
【図２】本発明の一実施形態にかかる印刷色調制御装置を示す構成図である。
【図３】本発明の一実施形態にかかる印刷絵柄の画像表示装置の表示例を示すモニタ画像の正面図であり、（ａ）〜（ｃ）は印刷絵柄の発色状態の表示例を示し、（ｄ）は操作端末としての表示例を示す。
【図４】本発明の一実施形態にかかるドライ状態のＩＣＣプロファイルの取得方法について説明するフローチャートである。
【図５】本発明の一実施形態にかかるウェット状態のＩＣＣプロファイルの取得方法について説明するフローチャートである。
【図６】本発明の一実施形態にかかる印刷色調制御の例を説明する図であり、示すモニタ画像の正面図であり、（ａ）は印刷絵柄の発色目標を示し、（ｂ）は印刷色調制御時の印刷絵柄の発色状態の表示例を示す。
【図７】本発明の一実施形態にかかるドライ状態のモニタ表示機能を説明するブロック図である。
【図８】本発明の一実施形態にかかるウェット状態のモニタ表示機能を説明するブロック図である。
【図９】本発明の一実施形態にかかるドライ状態のモニタ表示機能を説明するブロック図であり（ａ）はその全体を説明する図、（ｂ），（ｃ）はその要部を説明する図である。
【符号の説明】
【００７４】
２  品質制御装置画像サーバ（操作端末）
２ａ  品質制御装置画像サーバ２のモニタ（操作端末用モニタ）
２ｂ  品質制御装置画像サーバ２の演算装置
３  オペレーションターミナルパソコン
３ａ  タッチディスプレイ
４  ＣＣＳパソコン
５  品質制御装置
５ａ  演算装置
６  新聞輪転機
８  印刷自動制御装置
１０  ウェブ（連続紙、印刷シート）
１１  給紙部
１２  印刷部
１３  ウェブパス部
１４  折機
１５  排紙部
１６  ＩＲＧＢ濃度計（発色状態検出部、検出手段）
１７  輪転機制御装置
２１  発色情報入力部
２２  発色特性記憶部
２３  表示画像情報生成部
２４  発色目標設定部
【図１】
2009184200.tif 000003
【図２】
2009184200.tif 000004
【図３】
2009184200.tif 000005
【図４】
2009184200.tif 000006
【図５】
2009184200.tif 000007
【図６】
2009184200.tif 000008
【図７】
2009184200.tif 000009
【図８】
2009184200.tif 000010
【図９】
2009184200.tif 000011